(57)【要約】【課題】  鍵の上方への抜け出しを防いで、楽器全体の組立作業の向上を図ることができる鍵盤楽器を提供する。【解決手段】  複数の白鍵３が配列された状態で一体に形成された下部ケース１と、複数の黒鍵４が配列された状態で一体に形成された上部ケース２とを重ね合わせて、複数の黒鍵４を複数の白鍵３の間に配置させることにより、複数の白鍵３および複数の黒鍵４を簡単に配列させて組み付けることができる。また、このときには、複数の白鍵３をそれぞれ白鍵抜止め部２２によって下部ケース１から上方に抜け出すのを防ぐことができると共に、複数の黒鍵４をそれぞれ黒鍵抜止め部３８によって複数の白鍵３の上方に抜け出すのを防ぐことができる。このため、複数の白鍵３および複数の黒鍵４の上方への抜け出しを防ぐことができると共に、楽器全体の組立作業の向上を図ることができる。【選択図】        図２
2011232673.tif 000002
【特許請求の範囲】
【請求項１】
複数の白鍵が並列に配列された状態でそれぞれ樹脂ヒンジ部を介して上下方向に回転可能に一体に形成された下部ケースと、
複数の黒鍵が並列に配列された状態でそれぞれ樹脂ヒンジ部を介して上下方向に回転可能に一体に形成された上部ケースと、
この上部ケースを前記下部ケース上に重ね合わせて前記複数の黒鍵を前記複数の白鍵の間に配置させた状態で、前記複数の白鍵が前記下部ケースから上方に抜け出すのを防ぐ白鍵抜止め部と、
この白鍵抜止め部によって前記複数の白鍵が前記下部ケースから上方に抜け出さない状態で、前記複数の黒鍵が前記複数の白鍵の上方に抜け出すのを防ぐ黒鍵抜止め部と、
を備えていることを特徴とする鍵盤楽器。
【請求項２】
前記下部ケースには、前記複数の白鍵および前記複数の黒鍵における各上下方向の動きをそれぞれ検出する検出部を搭載した回路基板が、前記複数の白鍵および前記複数の黒鍵における各下側に延出された状態で取り付けられていることを特徴とする請求項１に記載の鍵盤楽器。
【請求項３】
前記白鍵抜止め部は、前記複数の白鍵の各前端下部にそれぞれ前方に突出して設けられた当接突起部と、前記複数の白鍵の前記各前端部に対応する前記下部ケースの前壁部の内側上部に設けられて、前記複数の白鍵の前記当接突起部が接離可能に下側から当接する白鍵当接部とを、備えていることを特徴とする請求項１または請求項２に記載の鍵盤楽器。
【請求項４】
前記複数の白鍵の前記各前端部は、その上部から前側下部に向けてそれぞれ傾斜する傾斜部に形成され、この各傾斜部の下端部に前記当接突起部がそれぞれ形成されていることを特徴とする請求項３に記載の鍵盤楽器。
【請求項５】
前記黒鍵抜止め部は、前記複数の黒鍵の各前端下部から前方に向けてそれぞれ突出して設けられ、この突出した部分がこれに隣接する前記複数の白鍵の各下部にそれぞれ当接可能な状態で下側に離れて配置されていることを特徴とする請求項１〜請求項４のいずれかに記載の鍵盤楽器。
【請求項６】
前記下部ケースの前記前壁部にそれぞれ設けられ、前記複数の白鍵の前記各前端下部をそれぞれ上下方向にガイドする白鍵ガイド部を備えていることを特徴とする請求項１〜請求項５のいずれかに記載の鍵盤楽器。
【請求項７】
前記下部ケースに取り付けられた前記回路基板によって前記複数の黒鍵をそれぞれ上下方向にガイドする黒鍵ガイド部を備えていることを特徴とする請求項２〜請求項６のいずれかに記載の鍵盤楽器。
【発明の詳細な説明】
【技術分野】
【０００１】
この発明は、電子ピアノや電子オルガンなどの鍵盤楽器に関する。
【背景技術】
【０００２】
従来、鍵盤楽器においては、特許文献１に記載されているように、低コスト化を図るために、複数の黒鍵をそれぞれ楽器ケースに一体に形成し、この楽器ケース内に複数の白鍵を配列させるように構成されたものが知られている。
【先行技術文献】
【特許文献】
【０００３】
【特許文献１】実開平０２−９０８９１号公報
【０００４】
この種の鍵盤楽器では、複数の黒鍵が肉厚の薄い樹脂ヒンジ部を介して楽器ケースに一体に形成され、複数の白鍵が楽器ケース内に取り付けられる回路基板に取り付けられた構成になっている。このため、このような鍵盤楽器では、複数の白鍵を回路基板に取り付け、この回路基板を楽器ケース内に組み付ける際に、複数の白鍵を楽器ケースに形成された黒鍵の間に配置させている。
【発明の概要】
【発明が解決しようとする課題】
【０００５】
しかしながら、このような従来の鍵盤楽器では、複数の白鍵を楽器ケース内に組み付ける際に、予め複数の白鍵を回路基板に取り付けなければならないため、白鍵の組立作業が煩雑で面倒であるほか、楽器ケースに一体に形成された複数の黒鍵における各前端部が上下方向に自由に変動するため、複数の黒鍵における各前端部が複数の白鍵の上方に抜け出してしまう恐れがある。
【０００６】
この発明が解決しようとする課題は、鍵の上方への抜け出しを防いで、楽器全体の組立作業の向上を図ることができる鍵盤楽器を提供することである。
【課題を解決するための手段】
【０００７】
この発明は、上記課題を解決するために、次のような構成要素を備えている。
請求項１に記載の発明は、複数の白鍵が並列に配列された状態でそれぞれ樹脂ヒンジ部を介して上下方向に回転可能に一体に形成された下部ケースと、複数の黒鍵が並列に配列された状態でそれぞれ樹脂ヒンジ部を介して上下方向に回転可能に一体に形成された上部ケースと、この上部ケースを前記下部ケース上に重ね合わせて前記複数の黒鍵を前記複数の白鍵の間に配置させた状態で、前記複数の白鍵が前記下部ケースから上方に抜け出すのを防ぐ白鍵抜止め部と、この白鍵抜止め部によって前記複数の白鍵が前記下部ケースから上方に抜け出さない状態で、前記複数の黒鍵が前記複数の白鍵の上方に抜け出すのを防ぐ黒鍵抜止め部と、を備えていることを特徴とする鍵盤楽器である。
【０００８】
請求項２に記載の発明は、前記下部ケースに、前記複数の白鍵および前記複数の黒鍵における各上下方向の動きをそれぞれ検出する検出部を搭載した回路基板が、前記複数の白鍵および前記複数の黒鍵における各下側に延出された状態で取り付けられていることを特徴とする請求項１に記載の鍵盤楽器である。
【０００９】
請求項３に記載の発明は、前記白鍵抜止め部が、前記複数の白鍵の各前端下部にそれぞれ前方に突出して設けられた当接突起部と、前記複数の白鍵の前記各前端部に対応する前記下部ケースの前壁部の内側上部に設けられて、前記複数の白鍵の前記当接突起部が接離可能に下側から当接する白鍵当接部とを、備えていることを特徴とする請求項１または請求項２に記載の鍵盤楽器である。
【００１０】
請求項４に記載の発明は、前記複数の白鍵の前記各前端部が、その上部から前側下部に向けてそれぞれ傾斜する傾斜部に形成され、この各傾斜部の下端部に前記当接突起部がそれぞれ形成されていることを特徴とする請求項３に記載の鍵盤楽器である。
【００１１】
請求項５に記載の発明は、前記黒鍵抜止め部が、前記複数の黒鍵の各前端下部から前方に向けてそれぞれ突出して設けられ、この突出した部分がこれに隣接する前記複数の白鍵の各下部にそれぞれ当接可能な状態で下側に離れて配置されていることを特徴とする請求項１〜請求項４のいずれかに記載の鍵盤楽器である。
【００１２】
請求項６に記載の発明は、前記下部ケースの前記前壁部にそれぞれ設けられ、前記複数の白鍵の前記各前端下部をそれぞれ上下方向にガイドする白鍵ガイド部を備えていることを特徴とする請求項１〜請求項５のいずれかに記載の鍵盤楽器である。
【００１３】
請求項７に記載の発明は、前記下部ケースに取り付けられた前記回路基板によって前記複数の黒鍵をそれぞれ上下方向にガイドする黒鍵ガイド部を備えていることを特徴とする請求項２〜請求項６のいずれかに記載の鍵盤楽器である。
【発明の効果】
【００１４】
この発明によれば、複数の白鍵が配列された状態で一体に形成された下部ケースに、複数の黒鍵が配列された状態で一体に形成された上部ケースを重ね合わせて、複数の黒鍵を複数の白鍵の間に配置させることにより、複数の白鍵および複数の黒鍵を簡単に配列させて組み付けることができる。
【００１５】
また、このときには、複数の白鍵をそれぞれ白鍵抜止め部によって下部ケースから上方に抜け出すのを防ぐことができると共に、複数の黒鍵をそれぞれ黒鍵抜止め部によって複数の白鍵の上方に抜け出すのを防ぐことができる。このため、複数の白鍵および複数の黒鍵が上方に抜け出すのを防ぐことができると共に、楽器全体の組立作業の向上を図ることができる。
【図面の簡単な説明】
【００１６】
【図１】この発明を適用した鍵盤楽器の一実施形態を示した平面図である。
【図２】図１に示された鍵盤楽器のＡ−Ａ矢視における拡大断面図である。
【図３】図１に示された鍵盤楽器の下部ケースを示した平面図である。
【図４】図３に示された下部ケースのＢ−Ｂ矢視における拡大断面図である。
【図５】図４に示された下部ケースにおいて、白鍵ガイド部を示した要部の拡大裏面図である。
【図６】図１に示された鍵盤楽器の上部ケースを示した平面図である。
【図７】図６に示された上部ケースのＣ−Ｃ矢視における拡大断面図である。
【図８】図２に示された鍵盤楽器の回路基板を示した要部の拡大平面図である。
【発明を実施するための形態】
【００１７】
以下、図１〜図８を参照して、この発明を適用した鍵盤楽器の一実施形態について説明する。
この鍵盤楽器は、図１および図２に示すように、下部ケース１と上部ケース２とを備えている。下部ケース１には、図３および図４に示すように、複数の白鍵３が並列に配列された状態で一体に形成されている。また、上部ケース２には、図６および図７に示すように、複数の黒鍵４が並列に配列された状態で一体に形成されている。
【００１８】
下部ケース１は、図１〜図４に示すように、横方向（図１では左右方向）に長い長方形の枠状をなすケース本体部５を備えている。この枠状のケース本体部５は、前壁部６、後壁部７、左右の側壁部８によって構成されている。このケース本体部５における後壁部７の下端部には、図３および図４に示すように、底板部９が前方（図４では右側）に向けて延出されて形成されている。
【００１９】
この底板部９には、図２〜図４に示すように、上部ケース２を取り付けるためのほぼ円筒状の複数の取付ボス１０が、底板部９の下側に開放された状態で形成されている。この取付ボス１０は、図２に示すように、ビス１１が底板部９の下側から挿入し、この挿入したビス１１が上端部に設けられたビス挿入孔１０ａに挿入されて上方に突出するように構成されている。
【００２０】
また、このケース本体部５における底板部９の前端部（図２では右端部）には、図２および図４に示すように、立上り部１２ａが、斜め前側上方に向けて傾斜した状態で、形成されている。この立上り部１２ａの上端部には、図２に示すように、スイッチ基板１３と回路基板１４とを搭載するための基板搭載部１２が前側（図２では右側）に向けて延出形成されている。
【００２１】
この基板搭載部１２の上面には、図２および図４に示すように、スイッチ基板１３を取り付けるための複数の取付ボス１５が起立して設けられている。この場合、スイッチ基板１３は、図１および図２に示すように、電源スイッチ、音色選択スイッチなどの各種のスイッチ１６が設けられた状態で、複数の取付ボス１５上に各ビス１１によって取り付けられている。
【００２２】
また、この基板搭載部１２の下面には、回路基板１４を取り付けるための複数の取付ボス１７が垂下されて設けられている。この回路基板１４は、楽器全体の電子回路を制御するものであり、図２に示すように、複数の取付ボス１７に各ビス１１によって取り付けられている。また、この回路基板１４は、接続ケーブル１８によってスイッチ基板１３と電気的に接続されている。この場合、回路基板１４上には、図２に示すように、後述する複数の白鍵３および複数の黒鍵４における各上下方向の動きをそれぞれ検出する検出部２０が設けられている。
【００２３】
さらに、この下部ケース１のケース本体部５における基板搭載部１２の前端部（図４では右端部）には、図１〜図４に示すように、複数の白鍵３が並列に配列された状態で、前壁部４に向けてそれぞれ延出形成されている。すなわち、この複数の白鍵３は、図２および図４に示すように、それぞれ樹脂ヒンジ部２１を介して基板搭載部１２の前端部に一体に形成されている。
【００２４】
この樹脂ヒンジ部２１は、図４に示すように、肉厚の薄い板状に形成され、白鍵３が押鍵操作された際に、下側に向けて撓むように構成されている。また、この樹脂ヒンジ部２１は、撓んだ状態から弾性復帰することにより、白鍵３を初期位置に戻すように構成されている。これにより、複数の白鍵３は、押鍵操作に応じて、各樹脂ヒンジ部２１を中心に上下方向に回転するように構成されている。この場合、複数の白鍵３における各前端部（図４では右端部）は、図２および図４に示すように、その上部から前側下部に向けてそれぞれ傾斜する傾斜部３ａに形成されている。
【００２５】
また、複数の白鍵３は、図２および図４に示すように、白鍵抜止め部２２によってそれぞれ下部ケース１から上方に抜け出さないように構成されている。すなわち、この白鍵抜止め部２２は、複数の白鍵３の各前端下部（図４では右端下部）にそれぞれ前方に突出して設けられた当接突起部２３と、複数の白鍵３の各前端部に対応する下部ケース１の前壁部６の内側上部に設けられた白鍵当接部２４とを、備えている。
【００２６】
当接突起部２３は、図２および図４に示すように、白鍵３の傾斜部３ａの下端部にその前方（図４では右側）に突出して設けられている。白鍵当接部２４は、下部ケース１の前壁部６の内側上部に、白鍵３側に向けて突出して形成され、その下側に白鍵３の当接突起部２３が位置するように構成されている。
【００２７】
すなわち、白鍵抜止め部２２は、図４に２点鎖線で示すように、下部ケース１を複数の白鍵３と共に一体に成形する際に、複数の白鍵３の各当接突起部２３が下部ケース１の前壁部６に形成される白鍵当接部２４の下方に位置するように、複数の白鍵３を前下がりに傾斜させた状態で形成することにより、各当接突起部２３が白鍵当接部２４にその下側から接離可能に当接して、複数の白鍵３が下部ケース１から上方に抜け出さないように構成されている。
【００２８】
これにより、白鍵３は、押鍵操作された後に、樹脂ヒンジ部２１が弾性復帰する際に、白鍵３の当接突起部２３が下部ケース１の白鍵当接部２４に下側から当接することにより、上限位置に規制されるように構成されている。また、この白鍵３は、押鍵操作されて樹脂ヒンジ部２１を中心に下側に回転した際に、白鍵３の当接突起部２３が、下部ケース１の前壁部６の内面下部に設けられたクッション部材２５に当接することにより、下限位置に規制されるように構成されている。
【００２９】
さらに、複数の白鍵３は、図４および図５に示すように、白鍵ガイド部２６によって横振れしないように上下方向にガイドされるように構成されている。すなわち、この白鍵ガイド部２６は、図５に示すように、複数の白鍵３における各前端下部の各当接突起部２３にそれぞれ設けられたガイド溝２７と、下部ケース１の前壁部６にその上下方向に沿ってそれぞれ設けられたガイド突起部２８とを備えている。
【００３０】
これにより、白鍵ガイド部２６は、図４および図５に示すように、白鍵３の当接突起部２３のガイド溝２７に下部ケース１のガイド突起部２８が挿入した状態で、白鍵３が押鍵操作されて樹脂ヒンジ部２１を中心に上下方向に回転する際に、下部ケース１のガイド突起部２８に沿って白鍵３の当接突起部２３がガイド溝２７によって上下方向にガイドされながら移動することにより、白鍵３の横振れを防ぐように構成されている。
【００３１】
一方、上部ケース２は、図６および図７に示すように、前側（図６では手前側）が開放された横方向に長いケース本体部３０を備えている。このケース本体３０は、下部ケース１上に配置されるものであり、下部ケース１の後壁部７に対応する後壁部３１と、下部ケース１の左右の側壁部８に対応する左右の側壁部３２とによって構成されている。すなわち、この上部ケース２のケース本体部３０は、上方から見て、全体が横長のほぼコ字形状に形成され、下部ケース１の外形とほぼ同じ大きさに形成されている。
【００３２】
このケース本体部３０における後壁部３１の上端部には、図２、図６および図７に示すように、フロントカバー部３３が前側（図７では右側）に向けて下部ケース１の基板搭載部１２とほぼ同じ長さで延出形成されている。また、このケース本体部３０の左右両側に位置する側壁部３２の上端部には、図６に示すように、左右両側における最も端部に位置する白鍵３の各外側面を覆うためのサイドカバー部３４がそれぞれ形成されている。
【００３３】
フロントカバー部３３の下面には、図２および図７に示すように、ほぼ円柱状の複数の取付ボス３５が、下部ケース１の底板部９に形成された複数の取付ボス１０にそれぞれ対応して形成されている。この複数の取付ボス３５の各下部には、ビス１１が螺入するねじ穴３５ａがそれぞれ形成されている。これにより、複数の取付ボス３５は、下部ケース１の複数の取付ボス１０内に下側から挿入された各ビス１１が各ねじ穴３５ａに螺入することにより、上部ケース２を下部ケース１に取り付けるように構成されている。
【００３４】
また、このフロントカバー部３３には、図２、図６および図７に示すように、複数のスイッチ挿入孔３６が、スイッチ基板１３に設けられた各種のスイッチ１６にそれぞれ対応して設けられている。すなわち、この複数のスイッチ挿入孔３６は、下部ケース１の基板搭載部１２に取り付けられたスイッチ基板１３の各スイッチ１６の操作部１６ａが、それぞれ下側から挿入してフロントカバー部３３の上側に突出することにより、フロントカバー部３３の外部から各スイッチ１６が操作されるように構成されている。
【００３５】
さらに、このフロントカバー部３３の前端部（図７では右端部）には、図６および図７に示すように、複数の黒鍵４が並列に配列された状態で、前側（図７では右側）に向けてそれぞれ延出されて形成されている。すなわち、この複数の黒鍵４は、図２および図４に示すように、複数の白鍵３の前後方向における長さよりも短く形成されていると共に、各白鍵３の高さよりも高く形成され、各白鍵３の間に配置されるように構成されている。
【００３６】
この複数の黒鍵４は、図２および図７に示すように、それぞれ樹脂ヒンジ部３７を介してフロントカバー部３３の前端部に一体に形成されている。この樹脂ヒンジ部３７は、白鍵３の樹脂ヒンジ部２１と同様、肉厚の薄い板状に形成され、黒鍵４が押鍵操作された際に、下側に向けて撓むように構成されている。また、この樹脂ヒンジ部３７は、撓んだ状態から弾性復帰することにより、黒鍵４を初期位置に戻すように構成されている。これにより、複数の黒鍵４は、押鍵操作に応じて、各樹脂ヒンジ部３７を中心に上下方向に回転するように構成されている。
【００３７】
また、この複数の黒鍵４は、図２および図７に示すように、黒鍵抜止め部３８によって複数の白鍵３の上方に抜け出さないように構成されている。この黒鍵抜止め部３８は、複数の黒鍵４の各前端下部（図７では右端下部）にそれぞれ前方に突出して設けられていると共に、この突出した部分がこれに隣接する複数の白鍵３の各下部にそれぞれ当接可能な状態で、下側に所定間隔Ｓを隔てて配置されるように構成されている。
【００３８】
すなわち、この黒鍵抜止め部３８は、図２に示すように、白鍵３が押鍵操作された際に、その押鍵された白鍵３によって押し下げられない程度の長さ（所定間隔Ｓ）だけ、押鍵操作されていない初期状態における白鍵３の下面から離れた位置に配置され、この状態で黒鍵４が押し上げられた際に、初期状態における白鍵３の下面に下側から当接することにより、黒鍵４が上方に抜け出さないように構成されている。
【００３９】
また、この複数の黒鍵４は、図２、図７および図８に示すように、黒鍵ガイド部４０によって横振れしないように上下方向にガイドされるように構成されている。すなわち、この黒鍵ガイド部４０は、図８示すように、下部ケース１に取り付けられた回路基板１４に設けられた複数のガイド溝４１と、図７に示すように、複数の黒鍵４にそれぞれ設けられたガイド突起部４２とを備えている。
【００４０】
ガイド溝４１は、図２および図８に示すように、各黒鍵４に対応する回路基板１４の箇所に、その回路基板１４の前側縁部（図８では右端部）から後部側（図８では左側）に向けてスリット状に切り込まれている。ガイド突起部４２は、図２および図７に示すように、黒鍵４の下部から下側に向けて突出して形成され、その下部が回路基板１４のガイド溝４１内に上下方向に移動可能に挿入されるように構成されている。
【００４１】
これにより、黒鍵ガイド部４０は、図２に示すように、黒鍵４が押鍵操作されて樹脂ヒンジ部３７を中心に上下方向に回転する際に、黒鍵４のガイド突起部４２が回路基板１４のガイド溝４１内を上下方向にガイドされながら移動することにより、黒鍵４の横振れを防ぐように構成されている。
【００４２】
この場合、黒鍵４のガイド突起部４２の下端部には、図２および図７に示すように、フック部４３が後方（図２では左側）に向けて突出して形成されている。このフック部４３は、図２に示すように、黒鍵４が押鍵操作されて樹脂ヒンジ部３７を中心に下側に回転した後に、樹脂ヒンジ部３７の弾性復帰により黒鍵４が初期位置に戻る際に、回路基板１４の下面に当接するように構成されている。
【００４３】
これにより、黒鍵４は、押鍵操作された後に、樹脂ヒンジ部３７が弾性復帰する際に、黒鍵４のガイド突起部４２が回路基板１４の下面に当接することにより、上限位置に規制するように構成されている。また、この黒鍵４は、押鍵操作されて樹脂ヒンジ部３７を中心に下側に回転した際に、黒鍵４の下部が回路基板１４に当接することにより、下限位置に規制されるように構成されている。
【００４４】
ところで、回路基板１４に設けられた検出部２０は、複数の白鍵３および複数の黒鍵４にそれぞれ対応する複数の発光素子と、複数の白鍵３および複数の黒鍵４にそれぞれ対応する複数の受光素子とを有している。この検出部２０は、複数の発光素子で発光した光をそれぞれ各白鍵３および各黒鍵４に照射させ、この照射された光の反射光をそれぞれ複数の受光素子で受光することにより、各白鍵３および各黒鍵４における各上下方向の動きをそれぞれ検出するように構成されている。
【００４５】
すなわち、この検出部２０は、複数の発光素子で発光した光をそれぞれ各白鍵３および各黒鍵４に照射させ、この照射された光の反射光をそれぞれ複数の受光素子で受光する際に、各白鍵３および各黒鍵４が押鍵されて回路基板１４に近づくに伴って、受光素子による受光量が次第に増加することにより、各白鍵３および各黒鍵４における各上下方向の動きをそれぞれ検出して、楽音を発音させるオン信号を出力するように構成されている。
【００４６】
次に、この鍵盤楽器を組み立てる場合について説明する。
この場合には、予め、下部ケース１と上部ケース２とをそれぞれ別々に成形する。すなわち、下部ケース１を複数の白鍵３と共に成形する場合には、図４に２点鎖線で示すように、複数の白鍵３の各前端部に位置する白鍵抜止め部２２の当接突起部２３が、それぞれ下部ケース１の前壁部６に形成される白鍵当接部２４の下方に位置するように、各白鍵３を前下がりに傾けた状態で、成形用金型（図示せず）によって成形する。
【００４７】
この場合には、複数の白鍵３の各当接突起部２３が、それぞれ下部ケース１の前壁部６の白鍵当接部２４よりも内側後方（図４では左側）に隙間Ｌだけ離れる。このため、複数の白鍵３の各当接突起部２３と下部ケース１の前壁部６の白鍵当接部２４とが上下方向に重なり合うことがないので、１つの成形用金型によって複数の白鍵３を下部ケース１に一体に成形しても、離型する際に、成形用金型から成形品として、下部ケース１を複数の白鍵３と共に容易に取り出すことができる。
【００４８】
また、このときには、複数の白鍵３の各前端部が傾斜部３ａに形成されているので、複数の白鍵３における各前端部の当接突起部２３が下部ケース１の前壁部６の下方に位置するように、複数の白鍵３を前下りに傾けた状態で成形しても、複数の白鍵３の各前端部がオーバーハング状態にならないため、離型する際に、成形用金型から成形品として、容易に取り出すことができる。
【００４９】
このように複数の白鍵３が下部ケース１と共に成形された際には、複数の白鍵３の各樹脂ヒンジ部２１を屈曲させて、各樹脂ヒンジ部２１が各白鍵３の前端部を上方に押し上げる状態にする。これにより、複数の白鍵３は、図４に実線で示すように、その各前端下部に形成された白鍵抜止め部２２の当接突起部２３が、それぞれ下部ケース１の前壁部６に形成された白鍵当接部２４に下側から当接し、下部ケース１の上方に抜け出すことがなく、初期位置である上限位置に規制される。また、上部ケース２は、図７に示すように、複数の黒鍵４と共に、１つの成形用金型によって一体に成形されている。
【００５０】
次いで、下部ケース１の基板搭載部１２にスイッチ基板１３と回路基板１４とを取り付ける。このときには、基板搭載部１２上に形成された複数の取付ボス１５上に、各種のスイッチ１６が搭載されたスイッチ基板１３を各ビス１１によって取り付ける。また、基板搭載部１２の下面に形成された複数の取付ボス１７には、検出部２０が搭載された回路基板１４を各ビス１１によって取り付ける。そして、スイッチ基板１３と回路基板１４とを接続ケーブル１８によって電気的に接続する。
【００５１】
この後、複数の白鍵３が一体に形成された下部ケース１上に、複数の黒鍵４が一体に形成された上部ケース２を重ね合わせて取り付ける。このときには、図１に示すように、複数の黒鍵４を複数の白鍵３の各間に配置させながら、各黒鍵４の前端下部に形成された黒鍵抜止め部３８を各白鍵３の下側に挿入させると共に、各黒鍵４にそれぞれ形成された各黒鍵ガイド部４０のガイド突起部４２を、回路基板１４に形成された各ガイド溝４１に挿入させる。
【００５２】
この状態で、下部ケース１に取り付けられたスイッチ基板１２の各スイッチ１６を、上部ケース２のフロントカバー部３３に設けられた複数のスイッチ挿入孔３６に対応させると共に、下部ケース１の底板部９上に形成された複数の取付ボス１０と、上部ケース２のフロントカバー部３３の下面に形成された複数の取付ボス３５とをそれぞれ対応させる。この状態で、下部ケース１の複数の取付ボス１０内に各ビス１１を下側から挿入させて、上部ケース２の複数の取付ボス３５の各ねじ穴３５ａにそれぞれ螺入させて締め付ける。
【００５３】
これにより、図１および図２に示すように、複数の白鍵３間に複数の黒鍵４が配置された状態で、下部ケース１上に上部ケース２が重なり合った状態で取り付けられる。この状態では、複数の白鍵３の各前端部が各樹脂ヒンジ部２１によって押し上げられ、複数の白鍵３の各前端部に形成された白鍵抜止め部２２の当接突起部２３が、それぞれ下部ケース１の前壁部６に形成される白鍵当接部２４に下側から弾接する。これにより、複数の白鍵３は、下部ケース１の上方に抜け出すことなく、初期位置である上限位置に規制されている。
【００５４】
また、複数の黒鍵４は、図２に示すように、その各前端部が各樹脂ヒンジ部３７によって押し上げられ、各黒鍵ガイド部４０のガイド突起部４２の下部に形成されたフック部４３が、回路基板１４の下面に弾接する。これにより、複数の黒鍵４は、初期位置である上限位置に規制されている。このときには、黒鍵４の前端部にそれぞれ形成された黒鍵抜止め部３８が、これに隣接する各白鍵３の下面から所定の距離Ｓ、つまり白鍵３における上限位置から下限位置までの距離以上、離れた位置に配置されている。
【００５５】
次に、このような鍵盤楽器で演奏する場合について説明する。
まず、図２において白鍵３を押鍵操作すると、樹脂ヒンジ部２１が撓むことにより、この樹脂ヒンジ部２１を中心に白鍵３が時計回りに回転する。このときには、白鍵３の当接突起部２３に設けられた白鍵ガイド部２６のガイド溝２７に、下部ケース１のガイド突起部２８が挿入した状態で、白鍵３の当接突起部２３がガイド溝２７によって下部ケース１のガイド突起部２８に沿ってガイドされながら上下方向に移動するので、白鍵３が横振れすることなく、円滑に回転する。
【００５６】
また、このときには、回路基板１４の検出部２０が押鍵操作された白鍵３の動きを検出する。すなわち、白鍵３が時計回りに回転して回路基板１４の検出部２０に近づくと、検出部２０の発光素子で発光して白鍵３に照射された光の反射光が受光素子で受光され、この受光素子による受光量が増加することにより、白鍵３の動きを検出して、オン信号を出力し、楽音を発音させる。
【００５７】
そして、白鍵３の当接突起部２３がクッション部材２５に当接すると、白鍵３が下限位置に規制されて白鍵３の回転が停止される。この後、白鍵３は、樹脂ヒンジ部２１の弾性復帰力およびクッション部材２５の反発力によって反時計回りに回転し、白鍵３の当接突起部２３が下部ケース１の白鍵当接部２４に当接する。これにより、白鍵３は、図２に示すように、上限位置に規制されて、初期位置に戻る。
【００５８】
同様に、図２において黒鍵４を押鍵操作すると、樹脂ヒンジ部３７が撓むことにより、この樹脂ヒンジ部３７を中心に黒鍵４が時計回りに回転する。このときには、黒鍵４に設けられた黒鍵ガイド部４０のガイド突起部４２が、下部ケース１の回路基板１４に設けられたスリット状のガイド溝４１に挿入した状態で、黒鍵４のガイド突起部４２が回路基板１４のガイド溝４１にガイドされながら上下方向に移動するので、黒鍵４が横振れすることなく、円滑に回転する。
【００５９】
また、このときにも、回路基板１４の検出部２０が押鍵操作された黒鍵４の動きを検出する。すなわち、黒鍵４が時計回りに回転して回路基板１４の検出部２０に近づくと、検出部２０の発光素子で発光して黒鍵４に照射された光の反射光が受光素子で受光され、この受光素子による受光量が増加することにより、黒鍵４の動きを検出して、オン信号を出力し、楽音を発音させる。
【００６０】
そして、黒鍵４の下部が回路基板１４に当接すると、黒鍵４が下限位置に規制されて黒鍵４の回転が停止される。この後、黒鍵４は、樹脂ヒンジ部３７の弾性復帰力によって反時計回りに回転し、黒鍵４のガイド突起部４２に設けられたフック部４３が回路基板１４の下面に当接する。これにより、黒鍵４は、図２に示すように、上限位置に規制されて、初期位置に戻る。
【００６１】
このように、この鍵盤楽器によれば、複数の白鍵３が並列に配列された状態でそれぞれ樹脂ヒンジ部２１を介して上下方向に回転可能に一体に形成された下部ケース１と、複数の黒鍵４が並列に配列された状態でそれぞれ樹脂ヒンジ部３７を介して上下方向に回転可能に一体に形成された上部ケース２と、を備えているので、下部ケース１と上部ケース２とを重ね合わせて、複数の黒鍵４を複数の白鍵３の間に配置させることにより、白鍵３および黒鍵４を簡単に配列させて、楽器を容易に組み立てることができ、これにより楽器全体の組立作業の向上を図ることができる。
【００６２】
この場合、下部ケース１には複数の白鍵３が並列に配列された状態で一体に形成され、上部ケース２には複数の黒鍵４が並列に配列された状態で一体に形成されていることにより、下部ケース１を成形する成形用金型、および上部ケース２を成形する成形用金型の各成形領域内における成形に不要な部分を少なくすることができる。このため、各成形用金型を効率よく利用することができるので、各成形用金型による成形効率が良く、下部ケース１および上部ケース２を効率が良く成形することができる。
【００６３】
また、この鍵盤楽器では、上部ケース２を下部ケース１上に重ね合わせて複数の黒鍵４を複数の白鍵３の間に配置させた状態で、複数の白鍵３が下部ケース１から上方に抜け出すのを防ぐ白鍵抜止め部２２と、この白鍵抜止め部２２によって複数の白鍵３が下部ケース１から上方に抜け出さない状態で、複数の黒鍵４が複数の白鍵３の上方に抜け出すのを防ぐ黒鍵抜止め部３８と、を備えているので、楽器を組み立てた状態で、複数の白鍵３および複数の黒鍵４が上方に抜け出すのを防ぐことができる。
【００６４】
この場合、下部ケース１には、複数の白鍵３および複数の黒鍵４における各上下方向の動きをそれぞれ検出する検出部２０を搭載した回路基板１４が、複数の白鍵３および複数の黒鍵４における各下側に延出された状態で取り付けられているので、検出部２０を複数の白鍵３および複数の黒鍵４における各下側に確実に対応させることができ、これにより複数の白鍵３および複数の黒鍵４における各上下方向の動きを正確に且つ確実に検出することができる。
【００６５】
また、この鍵盤楽器では、白鍵抜止め部２２が、複数の白鍵３の各前端下部にそれぞれ前方に突出して設けられた当接突起部２３と、複数の白鍵３の各前端部に対応する下部ケース１の前壁部６の内側上部に設けられて、複数の白鍵３の各当接突起部２３がそれぞれ接離可能に下側から当接する白鍵当接部２４とを、備えているので、複数の白鍵３が下部ケース１の上方に抜け出すのを確実に防ぐことができると共に、複数の白鍵３の各上限位置をも確実に規制することができる。
【００６６】
この場合、複数の白鍵３は、その各前端部が上部から前側下部に向けてそれぞれ傾斜する傾斜部３ａに形成され、この各傾斜部３ａの下端部に白鍵抜止め部２２の当接突起部２３がそれぞれ形成されているので、下部ケース１を複数の白鍵３と共に一体に成形する際に、複数の白鍵３の各前端部に位置する当接突起部２３が、それぞれ下部ケース１の前壁部６に形成される白鍵当接部２４の下方に位置するように、複数の白鍵３を前下がりに傾けた状態にすることにより、成形用金型によって容易に且つ良好に成形することができる。
【００６７】
すなわち、複数の白鍵３は、前下がりに傾けられることにより、各当接突起部２３をそれぞれ下部ケース１の前壁部６の白鍵当接部２４よりも内側後方に隙間Ｌだけ離すことができる。このため、複数の白鍵３における各前端下部の当接突起部２３と、下部ケース１の前壁部６の白鍵当接部２４とが、上下方向に重なり合うことがないので、１つの成形用金型によって複数の白鍵３を下部ケース１に一体に成形しても、離型する際に、成形用金型から成形品として、容易に取り出すことができる。
【００６８】
また、このときには、複数の白鍵３の各前端部が傾斜部３ａに形成されているので、複数の白鍵３を前下がりに傾けた状態で成形する際に、複数の白鍵３の各前端部がオーバーハング状態にならないため、成形用金型で成形しても、離型する際に、成形用金型から成形品として、容易に取り出すことができる。
【００６９】
さらに、この鍵盤楽器では、黒鍵抜止め部３８が、複数の黒鍵４の各前端下部から前方に向けてそれぞれ突出して設けられ、この突出した部分がこれに隣接する複数の白鍵３の各下部にそれぞれ当接可能な状態で、下側に離れて配置されているので、上部ケース２を下部ケース１上に重ね合わせて、複数の黒鍵４を複数の白鍵３の間に配置させた際に、複数の黒鍵４が複数の白鍵３の上方に抜け出すのを確実に防ぐことができる。
【００７０】
この場合、黒鍵抜止め部３８は、これに隣接する複数の白鍵３の各下部から下側に所定間隔Ｓ、つまり白鍵３の上限位置から下限位置までの長さ（Ｓ）だけ、離れて配置されているので、白鍵３を押鍵操作して白鍵３が押し下げられた際に、この押し下げられた白鍵３が黒鍵抜止め部３８に当接して黒鍵４を押し下げることがない。このため、複数の白鍵３および複数の黒鍵４をそれぞれ独立させて個別に押鍵操作することができるので、良好に演奏することができる。
【００７１】
また、この鍵盤楽器では、下部ケース１の前壁部６にそれぞれ設けられ、複数の白鍵３の各前端下部をそれぞれ上下方向にガイドする白鍵ガイド部２６を備えているので、白鍵３が横触れすることなく、白鍵３を上下方向に良好にガイドすることができる。すなわち、この白鍵ガイド部２６は、複数の白鍵３における各前端下部の各当接突起部２３にそれぞれ設けられたガイド溝２７と、下部ケース１の前壁部６にその上下方向に沿ってそれぞれ設けられたガイド突起部２８とを備えている。
【００７２】
このため、白鍵ガイド部２６は、白鍵３の当接突起部２３のガイド溝２７に、下部ケース１のガイド突起部２８を挿入させた状態で、白鍵３が押鍵操作されて樹脂ヒンジ部２１を中心に上下方向に回転する際に、下部ケース１のガイド突起部２８に沿って白鍵３の当接突起部２３をガイド溝２７によってガイドしながら上下方向に移動させることができるので、白鍵３が横振れすることなく、白鍵３を上下方向に確実に且つ円滑にガイドすることができる。
【００７３】
さらに、この鍵盤楽器では、下部ケース１に取り付けられた回路基板１４によって複数の黒鍵４をそれぞれ上下方向にガイドする黒鍵ガイド部４０を備えているので、黒鍵４が横触れすることなく、黒鍵４を上下方向に良好にガイドすることができる。すなわち、この黒鍵ガイド部４０は、下部ケース１に取り付けられた回路基板１４に設けられた複数のガイド溝４１と、複数の黒鍵４にそれぞれ設けられたガイド突起部４２とを備えている。
【００７４】
このため、この黒鍵ガイド部４０は、黒鍵４が押鍵操作されて樹脂ヒンジ部３７を中心に上下方向に回転する際に、黒鍵４のガイド突起部４２を回路基板１４のガイド溝４１内で上下方向にガイドしながら移動させることができるので、黒鍵４が横振れすることなく、黒鍵４を上下方向に確実に且つ円滑にガイドすることができる。
【００７５】
この場合、黒鍵ガイド部４０のガイド突起部４２の下端部には、フック部４３が黒鍵４の後方に向けて突出して形成されていることにより、押鍵操作された黒鍵４が初期位置に戻る際に、ガイド突起部４２のフック部４３を回路基板１４の下面に当接させることができ、これにより黒鍵４の上限位置を規制することができる。
【００７６】
このため、黒鍵抜止め部３８が白鍵３の下側に所定間隔Ｓだけ離れていても、ガイド突起部４２のフック部４３によって黒鍵４を確実に且つ良好に上限位置に規制することができる。また、回路基板１４を取り外して楽器の修理や保守点検などをする際には、黒鍵抜止め部３８が白鍵３の下部に当接可能であるから、黒鍵４が上方に抜け出すことがなく、安全に且つ良好に楽器の修理や保守点検などを行うことができる。
【００７７】
なお、上述した実施形態では、下部ケース１に取り付けられた回路基板１４に搭載された検出部２０が、複数の白鍵３および複数の黒鍵４にそれぞれ対応する複数の発光素子と複数の受光素子とを備えた構成である場合について述べたが、これに限らず、例えば検出部として、ゴムスイッチを用いても良い。
【００７８】
このゴムスイッチは、回路基板１４上に配置されたゴムシートにドーム状の膨出部を各鍵に対応させて設け、この膨出部を押鍵操作された各鍵がそれぞれ押圧して弾性変形させることにより、膨出部内に設けられた可動接点が回路基板１４上に設けられた固定接点に接触することにより、スイッチ信号を出力するように構成されていれば良い。
【符号の説明】
【００７９】
１  下部ケース
２  上部ケース
３  白鍵
３ａ  傾斜部
４  黒鍵
５、３０  ケース本体部
６  前壁部
７、３１  後壁部
８、３２  側壁部
１２  基板搭載部
１４  回路基板
２０  検出部
２１、３７  樹脂ヒンジ部
２２  白鍵抜止め部
２３  当接突起部
２４  白鍵当接部
２６  白鍵ガイド部
２７、４１  ガイド溝
２８、４２  ガイド突起部
３３  フロントカバー部
３８  黒鍵抜止め部
４０  黒鍵ガイド部
４３  フック部
【図１】
2011232673.tif 000003
【図２】
2011232673.tif 000004
【図３】
2011232673.tif 000005
【図４】
2011232673.tif 000006
【図５】
2011232673.tif 000007
【図６】
2011232673.tif 000008
【図７】
2011232673.tif 000009
【図８】
2011232673.tif 000010